(57)【要約】【課題】  カメラの撮影を安定にするカメラ安定化装置プラットフォームを提供すること。【解決手段】  プラットフォームは、ロックボルトによって結合されるツーピース棒材と、取付けねじとを含んでおり、取付けねじはカムコーダをプラットフォームの上面に取付け、またハンドルをプラットフォームの下に取付ける。ハンドルは、それがプラットフォームに対して回転するのを防ぐようにロックピンを有する。遠隔制御器がハンドルに取付けられる。遠隔制御器はハンドルの中に埋め込まれることも可能であり、その結果赤外線信号はハンドルから光ファイバの中に直接に送られて、使用者による信号の即時制御をもたらし、また画像の質を改善する。光ファイバを、プラットフォームの表面に沿って取付けるか又はテープ若しくは接着剤によってカムコーダの表面に沿って取付けることが可能である。【選択図】      図２
2005020760.tif 000002
【特許請求の範囲】
【請求項１】
カメラに接続可能な第一端部と、カメラ操作者の肩に載るために第一端部から外方に延びる第二端部とを有するプラットフォームと；
プラットフォームに固定されるハンドルであって、該ハンドルに収容されるカメラ制御器を有するハンドルと；
プラットフォームの外側表面に沿って延びて、赤外線カメラ制御信号をハンドルからカメラの信号受光ポートに伝える手段と；を具備するカメラ安定化装置。
【請求項２】
ハンドルからプラットフォーム内の穴の中に付勢されるロックピンを有することによって、ハンドルがプラットフォームに固定されるところの、請求項１に記載のカメラ安定化装置。
【請求項３】
ロックピンが、少なくとも部分的にハンドル内の穴の中に配置されるところの、請求項２に記載のカメラ安定化装置。
【請求項４】
ロックピンが、ばねによって付勢されるところの、請求項２に記載のカメラ安定化装置。
【請求項５】
ばねが、ロックピンの下でハンドル内の穴の中に配置されるところの、請求項４に記載のカメラ安定化装置。
【請求項６】
ロックピンを手動で動かすためのノブをロックピンが含むところの、請求項２に記載のカメラ安定化装置。
【請求項７】
カメラ制御信号を伝える手段が、プラットフォームを貫通して延在する信号穴を更に含むところの、請求項１に記載のカメラ安定化装置。
【請求項８】
ハンドルが、カメラ制御手段を含む遠隔制御器を有するところの、請求項１に記載のカメラ安定化装置。
【請求項９】
遠隔制御器が、ハンドルに取り外し可能に装着されるところの、請求項８に記載のカメラ安定化装置。
【請求項１０】
カメラ制御信号を伝える手段が、光ファイバと接着剤とを具備するところの、請求項１に記載のカメラ安定化装置。
【請求項１１】
ショルダー部分と；
カメラを支持するためのカメラ部分であって、ショルダー部分に隣接したカメラ部分と；
カメラ部分に固定可能に取り付けられるハンドルと；
ハンドルに取り外し可能に装着される遠隔制御器と；
赤外線制御信号を遠隔制御器からビデオカメラの信号受光ポートまで伝えるために、カメラ部分の外部表面に沿って延在する光ファイバと；を具備するカメラプラットフォーム。
【請求項１２】
ハンドルが、ハンドルからカメラ部分の中に延びるロックピンによって固定可能に取付けられるところの、請求項１１に記載のカメラプラットフォーム。
【請求項１３】
ロックピンが、ばねによって付勢されるところの、請求項１２に記載のカメラプラットフォーム。
【請求項１４】
カメラ部分が、カメラ部分を貫通して延在する信号穴を有していて、遠隔制御器によって生成された制御信号が該信号穴を通過することができるようになっている、請求項１１に記載のカメラプラットフォーム。
【請求項１５】
ロックピンとばねとが、ハンドル内の穴に配置されるところの、請求項１３に記載のカメラプラットフォーム。
【請求項１６】
ロックピンが、ロックピンをカメラ部分から外すためのノブを含むところの、請求項１３に記載のカメラプラットフォーム。
【請求項１７】
プラットフォームを貫通する光ファイバポートを有するプラットフォームと；
光ファイバポートを通して延びる光ファイバであって、プラットフォームに位置決めされたカメラの信号受光ポートまでプラットフォームの外部表面に沿って延びる光ファイバと；
ハンドルをプラットフォームに固定するための手段を有するハンドルと；を具備するカメラ安定化装置。
【請求項１８】
ハンドルをプラットフォームに固定するための手段が、ロックピンであるところの、請求項１７に記載のカメラ安定化装置。
【請求項１９】
ロックピンが、プラットフォームと係合するように付勢されるところの、請求項１８に記載のカメラ安定化装置。
【請求項２０】
ロックピンが、ロックピンをプラットフォームから外すためにノブを含むところの、請求項１８に記載のカメラ安定化装置。
【発明の詳細な説明】
【技術分野】
【０００１】
本発明はカムコーダ用の安定化プラットフォーム支持物に関するものであり、前記安定化プラットフォーム支持物は、対象をビデオに撮るカメラ操作者の肩に載ることにより撮影中に通常受ける上下動を除去するものである。プラットフォームはハンドルを有しており、ハンドルはそれをプラットフォーム上の所定位置にロックするためのロックピンを含んでいる。
【背景技術】
【０００２】
現今の市場にあるカムコーダはその小さなサイズのために、不安定で従って揺れて不規則で震えた画像を生み出す使用者の手ぶれに起因する低品質な画像を生み出すという特有の問題をもっていることは周知の事実である。現今のカムコーダ本体に存在する安定化チップを用いても、使用者は長時間ビデオ撮影して撮影の間に疲労したり、又はビデオ撮影中に歩くか走って問題を拡大するので、ジッター運動は改善されない。ビデオカムコーダに関する他の問題は、購入されたカムコーダに通常提供される、カメラに使用される遠隔制御器が、使用者がカムコーダの真正面に居るときにだけ作動することである。使用者は、カムコーダの側方又はカメラの背後に居て、使用者自身の存在を対象に投げ込むことは望まないでイベントをビデオ撮影するので、遠隔操作器を使って正面からカムコーダを操作することは必ずしも現実的ではない。次に、使用者が三脚を使用したいなら、使用者はやはり、赤外線制御信号を送るためにカムコーダの正面に居なければならない。
【０００３】
従来の試みは、アマチュアビデオ撮影者又は写真家で典型的な望まれない上下動を、使用者の肩又はボディーハーネスによって支持される安定化機構によって除去してきた。従来の安定化機構のどれもが、例えば、赤外線遠隔制御ユニットを保持するハンドルによる、オンとオフ及び電源及び他の機能の円滑な移行のための赤外線信号制御器の装備がされていない。現行のカムコーダの制御器は、操作するために手動の取り扱いを必要とし、前記取り扱いは、ビデオテープに記録された像に対してジッター運動を生み出す。現今の市場のカムコーダに付属品として提供されている現行の赤外線遠隔制御ユニットは、それがカムコーダの正面にあるときにだけ作動する。
【０００４】
特許文献１は、インターロック部材をもつ、かさばる複雑な装置を開示しており、前記装置はスチールカメラを保持し又腕の周りにストラップを必要とする。これは現今のカムコーダに使用するには非実用的でありまた役に立たないものである。
【０００５】
特許文献２は、写真機器用の肩及び手の支持物を開示しており、前記支持物は、スチールカメラのための急速な写真手順との関係で腕で支持される。この支持物は、アーチのように肩の上に不快に張り出しまた胸郭まで降りて来るものであり、また多くの固定機構を含んでいる。
【０００６】
特許文献３は、カメラの下に装着されるグリップを開示している。装着されて電気的に接続されると、引き金が押し下げられたときだけビデオ撮影をする引き金タイプの電源スイッチが存在する。これは長時間のビデオ記録には適さない。使用者はこのカメラを片手または両手で保持しなければならず、また特に長時間のビデオ記録のカメラの使用において安定化と快適さと容易さとを提供する、肩まで届く安定化アタッチメントがない。
【０００７】
特許文献４は、スライドしてコンパクトな状態になるカメラ支持装置を開示している。バーは前部で広くまた肩に載るところの後部で狭い。これは、不安定性と不快さの原因となる前部におけるより重い荷重を与え、また使用の際に実用的ではない。スライドプレートの使用は、使用者に対する挟み込み又は傷害の可能性を取り込む。
【０００８】
特許文献５は、スチール写真撮影の使用者に取り付けられるヒンジ、ストラップ、ファスナー、及びボディーハーネスの使用を必要とする、不恰好なカメラ装置を開示している。
【０００９】
特許文献６は、保持又は運搬のためにカメラに取り付く工具を開示しており、前記工具は、コンパクトな保管のため又は三脚としての利用のためにカメラの下に差し込まれる。ある場合には、この装置をコンパクトに又は薄くカメラの底部に保管することができず、またそれを運搬ハンドルとして利用することができない。
【００１０】
特許文献７は、カメラ機器の望ましくない運動を安定化させるために使用される、複雑で不恰好な支持装置を開示している。ベース支持体から延びる二つの“ストラット”があて、特に補助ファインダー装置と第一のストラットの底部の電池とをバランスさせることに起因して、装置を保持又はバランスさせることを難しくしている。
【００１１】
特許文献８は、小型ビデオカムコーダを保持するためのプラットフォームを有する装置を開示しており、前記装置は、プラットフォームを肩へ延ばすことによって写真撮影のための安定化を提供する。装置を安定させるためのハンドルはなく、装置を保持するための指グリップだけが各側面にあって、カメラを支持しまた安定にするために使用者の指が曲がった状態で締められる。
【００１２】
特許文献９は、カメラ、特にビデオカメラを安定化する支持装置を開示している。その装置は、装置を不恰好で複雑なものにする、多数のアタッチメント、ストラット、上ヨークと下ヨークとをもつ回動ジョイント、及び使用のためのストラップを有しており、特に、カメラを持ち上げまた傾けるために伸長ポールが使用者の肩を越えて展開されるとき又は一脚として使用されるとき装置を不恰好で複雑なものにする。
【００１３】
特許文献１０は、画像を安定にするためにビデオカメラの底部に取り付けられた安定化ロッドを開示している。この装置は、特に長時間のビデオ記録の間に不快であり、またこの装置が顔と首に接して配置され得るように設計されて提案されているので、個人の保護に対する固有の弱点を有している。
【００１４】
特許文献１１は、二つのカメラの使用のために設計された装置を開示しており、前記二つのカメラは、同時に使用されるスチールタイプのものである。利点は、使用者が二つのタイプのフィルム、例えば一方に白黒を他方にカラーを、又は一方に低感度フィルムを他方に高感度フィルムを使用可能なことである。この装置の他の利点は、一続きのアクションにおいて毎秒二倍の露光回数が得られることであるが、これはスチール３５ｍｍタイプカメラを記述しており、ビデオカメラに対しては現実的ではない。
【００１５】
特許文献１２は、それ自体がビデオカメラに取り付けられてハンドルとして機能する装置を開示しており、前記ハンドルは、ハンドルの底で電気的に接続された遠隔制御部を有しており、また三脚に取り付けることもできる。使用者は、彼の手によってカメラを保持することで異なる結果を有さないので、この装置は、画像の安定化のためには何もしない。手は、支持のためだけに保持しつづけ、ジッター及び手の望まれない運動が結果として生じる。
【００１６】
従って、前述の設計の問題に取り組むカムコーダ安定化プラットフォームとカムコーダとの設計についての必要性が存在する。
【００１７】
【特許文献１】米国特許第２３７０６１１号明細書
【特許文献２】米国特許第４５４２９６６号明細書
【特許文献３】米国特許第４９８４０９０号明細書
【特許文献４】米国特許第５０３８１６０号明細書
【特許文献５】米国特許第５０７３７８８号明細書
【特許文献６】米国特許第５０８１４７８号明細書
【特許文献７】米国特許第５０９８１８２号明細書
【特許文献８】米国特許第５１２８７０１号明細書
【特許文献９】米国特許第５７４２８５９号明細書
【特許文献１０】米国特許第５７４９０１１号明細書
【特許文献１１】英国特許第２１０３３７９号明細書
【特許文献１２】特開平３−１３２６３２号公報
【発明の開示】
【００１８】
従来の安定化機構の問題に取り組むために、本発明は安定化プラットフォームを含んでおり、前記安定化プラットフォームは、対象の撮影を安定にするために、スチールカメラの性能をもつ小型手持ち式ディジタル又はＤＶＤカムコーダの底部に取付けられる。プラットフォームはツーピース棒材を含んでおり、前記ツーピース棒材は、固定ボルトを使って結合され、またカメラをプラットフォームの上面に取付ける取付けねじを含んでいる。ハンドルがプラットフォームの下に取付けられる。ハンドルは、ハンドルをプラットフォームの所定の位置に確実に固定するためにロックピンを有している。光ファイバがプラットフォームの本体に組み込まれ、前記光ファイバは、赤外線遠隔制御信号をカムコーダの前部に在る赤外線受光ポートに送るために使われる。赤外線信号をハンドルからカメラの前部に在る赤外線受光ポートへ導くために、代わりに光ファイバテープがカムコーダに付着される。更に代わりに、使用者がカメラの後方又は側方に居て、カメラの電源オン、電源オフ、停止、ズームイン、ズームアウト、記録、一時停止、並びに他の機能を働かせることができるように、第二の赤外線ポートがカメラの底面、側面、又は背面に配置される。光ファイバ制御は、カメラの操作の円滑な移行を可能にして、これらの機能を手動で実行したときに、ジッター運動を除去する。
【００１９】
カムコーダ、手持ち式カムコーダ、スチールカメラ機能付きディジタル手持ち式カムコーダ、又はスチールカメラ機能付きＤＶＤディジタル手持ち式カムコーダのためのしっかりして安定した支持物を提供することが本発明の目的である。その支持物は、安定な記録と次にビューファインダまたは液晶スクリーンから対象を安定に見ることとを促進して、ビデオ記録中に普通に遭遇される上下動又はジッター運動を取り除く。
【００２０】
カムコーダの機能の安定な操作と制御とを光ファイバの使用によって提供することも本発明の目的である。本発明は、ハンドルからカムコーダの前部の受光ポートに信号を送るために、プラットフォームに埋め込まれたか又はテープの形でカムコーダの表面に直接に付着された光ファイバを含んでおり、それにより、使用者がカメラの後方からビデオ撮影をするとき、カムコーダの下からの赤外線遠隔制御器の使用を可能にする。赤外線遠隔制御操作は、手動使用での不安定さ及び上下動の原因となる電源オン、電源オフ、ズームイン、ズームアウト、記録、及び一時停止の操作のような手動操作を除く。遠隔制御器は、現在の市場における全てのカムコーダに対する付属品であるが、赤外線遠隔制御器を使用するためには使用者はカメラの正面に居なければならず、このことは赤外線遠隔制御器を使用するときには使用者は使用者自身を画像の中に挿入しなければならないことを意味している。従って本発明はこの問題を取り除く。
【００２１】
本発明の目的は、カムコーダ本体の下側に取り付いて、支持のために使用者の肩まで延びる安定化プラットフォームによって達成される。プラットフォームは、ロックボルトを使って結合されるツーピース棒材と、カメラをプラットフォームの上面に取付け、またハンドルをプラットフォームの下に取付ける取付けねじとを含んでいる。ハンドルはプラットフォームの底部から延びて、使用者がハンドルを保持してユニットを安定に維持することを可能にする。両面マジックテープを使って赤外線遠隔制御器を取り付けるための場所がハンドルの中にある。ハンドルは、全ての遠隔制御ユニットを収容することができる。またハンドルはロックピンも有しており、前記ロックピンはハンドルをプラットフォームの所定の位置に堅固に固定可能にする。ハンドルを所定の場所で堅固に固定することは、ハンドルが移動することを防ぎまた遠隔制御器が赤外線信号をプラットフォームの光ファイバポートをとおして光ファイバの中に導くことを保証する。
【００２２】
赤外線遠隔制御ユニットをハンドルの内部に組み込むことが、本発明の更なる目的である。本発明の他の特徴は、制御ボタンの手動操作を原因とするカメラ操作の遅れを除去することである。
【００２３】
赤外線遠隔制御信号を、ハンドルから、ハンドルの直ぐ後でカメラの底部に配置された第二の赤外線受光ポートの上に置かれたカメラの本体の中に直接に送るために、安定化プラットフォームの中に埋め込まれた光ファイバを提供することが本発明の更なる目的である。
【００２４】
赤外線信号を遠隔制御器からカムコーダの前部に配置された赤外線受光ポートへ導くためにカムコーダの表面に直接に付着される光ファイバテープを提供することが本発明の更なる目的である。
【００２５】
使用者の撮影終了に対して必要に応じて順応できるように融通のきくことが安定化プラットフォームの別の目的である。使用後、それは固定ノブを緩めて、（取付けられている遠隔制御器と共に）ハンドルを取り外して、両方の部品をカメラ運搬ケースの中に入れることにより、コンパクトな状態でしまわれる。
【００２６】
本発明の更なる目的は、大量生産を基礎に生産されるように最小のコストで容易に生産される軽量な支持体を提供することである。
【００２７】
他の目的及び利点及び特徴が以下の詳細な説明から理解されるはずである。
【発明を実施するための最良の形態】
【００２８】
図１〜４に示されるように、本発明の安定化プラットフォーム１０が示されている。安定化プラットフォーム１０は、手持ち式カムコーダと共に使用され、また棒材１２とハンドル１４とを具備している。棒材１２は、ロックねじ２０によって回転可能に共に接続される第一部分１６と第二部分１８とを具備することが好ましく、前記ロックねじ２０は、第一部分１６及び第二部分１８をそれぞれ貫通して延在する貫通穴２２及び２４を貫通している。図３に示されるように、穴２４は、第二部分１８に配置された数個の穴の一つであり、その結果、本発明を利用する特定の使用者に応じて、棒材１２の伸長状態における全長を変えることができる。フォームパッド２６が穴２４の反対側の第二部分１８の端部２８に配置されている。端部２８は、下方に僅かに曲げられていることが好ましく、またカメラ使用者の肩に快適に載るようにフォームパッド２６を含むことが好ましい。
【００２９】
穴２２は、ロックねじ２０のヘッド３２の下の正方形部分３０を収容するために、第一部分１６の厚さの少なくとも途中まで延びる正方形形状を有することが好ましい。ロックねじ２０は先に示されたように、穴２２及び２４を通り抜けてロックノブ３４の中に入り、前記ロックノブ３４はロックねじ２０にねじ込まれて第一及び第二部分をその完全に伸長された状態で堅固に固定する。ロックノブ３４は、三つのフランジ３６ａ、３６ｂ及び３６ｃを有するように示されており、前記三つのフランジは使用者の指を使った回転によってロックノブをロックねじ２０に締め付けることに役立つ。ロックノブ３４は、三つのフランジを有して示されているが、円形ノブ又は他のタイプの締め付け手段のような市販されている他のタイプのノブであることもある。本書でより詳細に論述されるように、ロックねじ２０及びロックノブ３４は、安定化棒材１２の第一部分１６及び第二部分１８をしまい込み位置でも固定する。
【００３０】
カメラパッド３８ａ及び３８ｂが、安定化棒材の第一部分１６の上表面に配置されており、前記カメラパッド３８ａ及び３８ｂは、フォームラバーから作られ、またカメラパッドを第一部分の上表面の所定の位置に維持するために感圧接着剤を含むことが好ましい。カメラパッド３８ａ及び３８ｂは、第一部分の上表面上のビデオカメラに、緩衝及び摩擦取付けポイントを提供する。第一部分１６は光ファイバポート４０を更に含んでおり、前記光ファイバポート４０は、基本的には、第一部分を貫通して延在する穴である。第一部分１６は、カメラねじ４４の受入れのために、第一部分を貫通して延在するカメラ穴４２も含んでおり、前記カメラねじ４４は、ハンドル１４を第一部分の下に取付けるだけでなく、ビデオカメラ４６を第一部分の上表面に取付けるために使用される。カメラねじ４４は円形本体部分４８とねじ付きピン５０とを含んでいる。本体部分４８は、ハンドル１４の端に設置されたねじ付きピン５２とのねじ係合のためにねじ穴を含んでいる。図２で最も良くわかるように、カメラねじは、穴の中にねじ込まれるハンドルのピン５２を有しており、またカメラねじのねじ付きピン５０は、穴４２をとおして第一部分に挿入される。次に、カメラねじを第一部分の所定の場所で確実に保持するために、リテイナリング５４がピン５０に上から配置されて第一部分の上表面の凹部５６の中に収まる。ねじ付きピン５０は次に第一部分１６の上表面の上方に延びて、カムコーダ４６の底面に設置されたねじ付き三脚穴の中にねじ込まれる。
【００３１】
光ファイバケーブル５８が、光ファイバポート４０をとおって、カメラ穴４２を周って第一部分１６の前部へ延びている。光ファイバ信号が、第一部分１６の下から、カムコーダ４６の典型的には前面に設置されている赤外線受光ポート６０まで伝えられることができるように、ケーブルは次に上方にそれから後方に延びている。光ファイバケーブル５８は、ハンドル１４に取付けられ且つ第一部分１６の下に配置された遠隔制御器６２からの赤外線信号を伝送する。ハンドル１４は、マジックテープ６６を収容する平坦表面６４を含んでおり、前記マジックテープ６６の二分の一は平坦表面６４に配置されまた他の半分は遠隔制御器の底部に配置されている。遠隔制御器をハンドルに固定するための、接着剤又は両面接着テープ等のような、他の固定形態が可能であることが理解されるべきである。遠隔制御器６２がハンドル１４に取付けられたとき、赤外線信号が光ファイバケーブル５８によって赤外線受光ポート６０へ伝送されるように、光ファイバポート４０は第一部分１６に沿って配置される。光ファイバケーブル５８は、それが信号を伝送するために必要な姿勢へ曲げられることが可能なほどの硬さのものであるか、又はより柔軟なケーブルも可能であり、そして光ファイバケーブル５８は第一部分１６の前部に取付けられたハウジング又はシールド６８の中に位置決めされる。
【００３２】
図２に最良に示されるように、動作中に、使用者は遠隔制御器６２上の制御部７０を介してカムコーダ４６を操作し、前記遠隔制御器６２は赤外線信号を光ファイバケーブル５８をとおして受光ポート６０に送る。カムコーダ４６によって記録された動きは液晶（ＬＣＤ）ビュースクリーン７２で見ることができる。肩パッド２６は、使用者の肩に載り、またハンドル１４は、使用者の手によって握られる指グリップ７４を含んでいる。ハンドルをつかむことによる、使用者の手と、使用者の肩に載る第二部分１８との組み合わせが、記録中におけるカムコーダの安定化及び操作の両方を実現する。
【００３３】
図４で最も良く見られるように、本発明の安定化プラットフォーム１０は、容易に分解されてコンパクトな状態にしまわれることができる。ハンドル１４はカメラねじ４４からねじって外され、また遠隔制御器６２はハンドルに取付けられたままであるか又は取り外すことができる。第一部分１６及び第二部分１８を折りたたみ位置に回転させることができるように、ロックノブ３４及びロックねじ２０を緩めることができる。そのとき本発明の長さは半分のサイズであり、ビデオカメラバッグに都合よく収容できる長さである。本発明の第一部分１６及び第二部分１８は、経済的要因、使用上の要因、又は製造上の制約に基づいて、軽量アルミニュウム、炭素繊維、又はプラスチックに分類される任意のタイプの材料から作られる。
【００３４】
図５は、図６で示されるカムコーダ８２と共に使用される本発明の代替実施例の安定化プラットフォーム８０を示している。この実施例では、安定化プラットフォーム８０は、図１〜４で示されたプラットフォーム１０とほとんど同じであるが、光ファイバケーブルが不要である。この実施例では第一部分８４が、赤外線ポート８６を含んでおり、前記赤外線ポート８６は、ハンドル９０に取付けられた遠隔制御器８８から伝えられた赤外線信号が、カムコーダ８２の底面９４に設置された赤外線受光ポート９２によって受光されるように配置されている。代わりに、しかし必ずではないが、赤外線信号を受光ポート９２に伝えることを助けるために、光ファイバケーブルの短い一片９６を赤外線ポート８６に配置可能である。この実施例については、カムコーダ８２は、底面に赤外線受光ポート９２を、また従来からなされているようにカメラの前部に配置された受光ポート９６も有することが可能である。この実施例では、カメラねじ９８が、やはりカムコーダの底部に配置された三脚用ねじ穴１００の中にねじ込まれることによって、カムコーダ８２を第一部分８４の表面に固定する。
【００３５】
また図５及び５Ａはハンドルロックの特徴を図解している。ハンドル９０は、プラットフォーム８０の第一部分８４の所定位置にハンドルを固定するためにロックピン９１を有している。ピン９１は、ハンドル９０内に設けられた垂直穴９３に位置決めされ、またピン９１の下で垂直穴の中に位置決めされたばね９５によって上方に付勢されている。ばねは、ハンドルが回転するのを阻止するために、ピンを第一部分８４の下面に設けられた穴９７の中に押し込む。ハンドルをプラットフォームに固定することは、遠隔制御信号が赤外線ポート８６を通過することを保証する。ハンドルを第一部分から取り外すためには、ピン９１から水平に延びるノブ９９でピンを押し下げることによって、ピンを穴９７から下方に付勢する。ノブ９９は、水平穴１０１を通してハンドルの側面から延びており、前記水平穴１０１は垂直穴９３の中に延びている。固定機構は、図１のプラットフォームと共に使用されることも可能である。ピン及び穴の固定機構が示されているが、他の固定機構が、ハンドルのプラットフォームに対する回転を防ぐために本発明によって企図されることも理解されるべきである。
【００３６】
図７に示されるように、光ファイバテープ１０２がカムコーダ１０４と共に使用可能であり、前記カムコーダ１０４は、カムコーダの底部ではなくカムコーダの前部に配置された赤外線受光ポート１０６を有している。光ファイバテープ１０２とカムコーダ１０４との組み合わせは、図５に示されるようなプラットフォーム８０又は三脚（非図示）と共に使用することに適している。光ファイバテープ１０２は支持体層又はフィルム１０８を有している。支持体層又はフィルムは、それらに塗布された接着皮膜１１０を有しており、また少なくとも一本の光ファイバ１１２が接着層に経路を定められて接着されて、テープの一方の端から他方の端への連続する光信号の通路を提供する。剥離ライナー１１４が接着層に剥離可能に付着されており、また光ファイバを含む支持体層を保護するように配置されている。剥離ライナー１１４は剥がされ、その結果光ファイバテープがカムコーダ１０４の底面１１６に配置されることが可能になり、またそれは、安定化プラットフォームの赤外線ポート８６に隣接する位置からカムコーダ１０４の前部に位置決めされた赤外線受光ポート１０６まで延びることが可能である。従って、光ファイバ信号は、遠隔制御器８８から赤外線ポート８６を通って赤外線受光ポート１０６まで伝送されることが可能である。光ファイバテープは、ポートカットアウト１１６をテープの一方の端に、また送出ポート領域１１８をテープの反対側の端に有することが可能である。光ファイバテープがカムコーダに取付けられたとき、送出ポート領域１１８が赤外線受光ポート１０６に隣接し、またポートカットアウト１１６が安定化プラットフォーム８０内の赤外線ポート８６に隣接する。
【００３７】
光ファイバテープに使用される材料のタイプは用途に応じて変えることができる。例えば、高耐久性が望まれる場合、ポリエステルタイプの支持体が使用されるであろう。テープはカムコーダの湾曲表面に付着されることがあることを考えると、ビニール、ポリウレタン、ポリアミド、又はポリエステルのような柔軟性のある支持体材料が選択されるであろう。接着剤は、一時的再配置可能接着剤であることが好ましい。一時的再配置可能性とは、接着剤とカムコーダの表面との間の接合が、ある時間でまたは特定のイベントが発生するまで、カムコーダを傷めることなくテープをカメラから除去できて、そのときテープをカメラに永久に接着することもできるものであるような意味をもつ。好適な実施例では、接着剤は、標準クラスの材料として業界で知られている感圧接着剤である。乾燥した形態で、室温で積極的且つ永久的に粘着性がある接着剤であって、手動の圧力以上の圧力の必要性なしに単なる接触で様々な同様の表面に確実に接着する接着剤がある。接着剤は、紙、セロファン、ガラス、プラスチック、木、及び金属のような材料に対して強力な接着保持力を作用させるために、水、溶剤、又は熱による活性化を必要としない。接着剤は、その積極的な粘着性にもかかわらず、指で取り扱うことができまたかなりの残留物を残すことなく滑らかな表面から除去することができるように、十分に粘着性のある保持の性質と弾性的性質を有している。
【００３８】
光ファイバ１１２は、石英ガラス又は柔軟なガラス又はプラスチックのような任意の赤外線伝達物質であり得る。図７は、接着剤の中に埋め込まれた複数の光ファイバを図示しているが、その数量は個々のファイバのサイズと形に依存する。特定の材料、及びそのサイズに応じて、赤外線信号をカムコーダの赤外線受光ポートに伝送するために、一本だけの光ファイバが必要である場合もあることが理解されるべきである。同様に、光ファイバは平ひも状に構成されることも可能で、その際には接着剤が平ひもに直接に付けられてそのことにより支持体シート又はフィルムの必要性が除かれる。光ファイバは次に、接着剤によってカムコーダの表面に直接に付着される。
【００３９】
本発明の安定化プラットフォームは、使用者が三点支持システムを形成することを可能にし、前記三点支持システムでは、プラットフォームが使用者の肩に載り、片方の手がハンドルを保持し、その間に上腕が使用者の胴体に置かれる。安定化装置は、提供された追加の支持のために及びハンドルに取付けられた遠隔制御器による操作の容易さのために、カムコーダの動きをほとんど与えない。本発明は、その二つの実施例に関して説明されたが、変更と修正をその実施例の中で行うことが可能であり、また前記変更と修正は、特許請求の範囲で規定されるような本発明の意図された範囲の内にあることが理解されるべきである。例えば、遠隔制御器がハンドルの中に一体化されるようにハンドルが作られたり、又は安定化棒材が折りたたまれるか若しくは伸縮されてもよい。
【図面の簡単な説明】
【００４０】
【図１】本発明の安定化プラットフォームの第一の実施例の斜視図である。
【図２】図１のプラットフォームの側面図である。
【図３】図１のプラットフォームの分解図である。
【図４】図１のプラットフォームの、折りたたまれた状態の側面図である。
【図５】本発明の安定化プラットフォームの第二の実施例の側面図である。
【図５Ａ】安定化プラットフォームのハンドルの詳細斜視図である。
【図６】図５のプラットフォームとともに使用されるビデオカメラの斜視図である。
【図７】ビデオカメラ及び光ファイバテープの分解斜視図である。
【符号の説明】
【００４１】
１２    棒材
１４    ハンドル
１６    第一部分
１８    第二部分
４０    光ファイバポート
４２    カメラ穴
４６    カムコーダ
５０    ねじ付きピン
５８    光ファイバケーブル
６２    遠隔制御器
【図１】
2005020760.tif 000003
【図２】
2005020760.tif 000004
【図３】
2005020760.tif 000005
【図４】
2005020760.tif 000006
【図５】
2005020760.tif 000007
【図５Ａ】
2005020760.tif 000008
【図６】
2005020760.tif 000009
【図７】
2005020760.tif 000010